(57)【要約】【課題】  本考案は、シャワー集水槽に関する。【解決手段】  本考案は、シャワー浴時用いるシャワー集水槽がシャワー吐出口を固定することが出来、シャワー吐水の温度を表示する機構を持ち、吐水の温度がシャワー浴に適正温度に至るまでの吐水を集水することができる集水槽に関する。【選択図】図１
0003125758.tif 000002
【実用新案登録請求の範囲】
【請求項１】
シャワー器具を保持する機能を有し、或いはシャワー器具に設置されている保持機能を有する器具を利用し、シャワー吐水口から散水される水を受け止め集水し、それらの回収水を貯水させる機能を有する移動可能な或いは半固定できる集水槽への導水経路において、
シャワー吐水口より散水される水を受け止め回収する機能部位、或いは吐水口から回収部位の間に、水温を可視確認可能とする感温色相変化を生じる感温剤又は電気的に感温し表示或いは音の発振による聴覚への伝達する機能を有し、シャワー吐水口より散水されている水の温度を人体に水が接触することなく確認できうる機構を有することを特徴とするシャワー散水を集水貯水する用具。
【考案の詳細な説明】
【技術分野】
【０００１】  本考案はシャワー浴に適さない温度の散吐水を人体に散水させることなく、適温状態に水温が到達するまでの散水を回収すると共に、適温に達したが否かを感知または計測し視覚或いは聴覚への感覚器官へ伝達する事により水温の状況を判断可能となる機能を有する器具に関する。
【背景技術】
【０００２】  シャワー浴を行う場合において、周囲の外気温度且つ浴槽室内温度が低温となる季節である場合、給湯器からシャワー散水口までの導水経路に加温機器により暖められた温水の熱が吸収される。そこで、散水口からは散水開始時まで一定時間を経て温水が適温となったことを確認し、散水する。この場合、周囲温度が低い場合などには、散水開始直後に冷水が吐出され、心臓病患者、高血圧患者など人体への害を及ぼす危険性が生じていた。また介護老人など補助者を要する者のシャワー浴では、適温でない冷水を浴びた場合、これを防ごうとして異常行動を起こさせることとなる場合があり、問題であった。
【考案の開示】
【考案の解決しようとする課題】
【０００３】  給湯設備の加温機器からシャワー散水口までの導水路の間に、温度を感知する機能を有する器具を設置し、冷水を排出する技術が、特開２００４−２８３４５５に示されており、適温以外の冷水又は高温水がシャワー散水口から散水されない構造の排水機構が示されている。この場合、排出される冷水又は高温水が無駄に排水される問題がある。又、この従来の技術では、温度を感知する機器から伝達される導水経路遮断機器より、シャワー散水口までの間に温水から吸熱されることにより、シャワー散水操作直後には冷水が吐出されてしまう現象が伴う。従って、周囲環境温度により、その吐出温度が適温となる機能的温度補償値は、変動する要素を有してしまう不具合と危険性があった。
【０００４】  一方、特開２００４−３１３７１９には、適温以外の冷水又は高温水がシャワー散水口から直接散水されないように、一旦排水口を浴槽内へと導入する構造を示している。しかしながらこの場合、適正な温度であるか否かについては言及されておらず、一定時間を排水した後、掌にて感温した後、散水することになるが、高温であった場合には、火傷を負う危険があり、また、浴槽への排水は、浴槽内の温度を下げてしまい、更なる加温、追い炊きなどエネルギーの浪費を要することとなる。
また、上記の従来技術を有さない一般のシャワーでは、シャワー散水操作からしばらくの間放置し、時間を見計らって温水が散水されているか手感により確認をするなどの行為が行われている。
【０００５】  この確認されるまで吐出される散水は、無駄に排水される問題があるばかりか、高温であった場合には、火傷を負う危険があった。
本考案は、シャワー散水口より吐出される冷水が人体に散水されることを防止すると共に、高温による火傷を防止するため、温度表示或いは感知または計測でき識別機能を設け、且つシャワー浴に不必要な排水されてしまう水を回収し転用可能とする貯水機能をすることを可能とし、人体または、被散水物への温度影響を回避すると共に、温度の適温化までの間に排水される散水を回収し利用するため貯水機能を持ち、水の無駄を無くすことを目的とする。
【課題を解決するための手段】
【０００６】  請求項１には、シャワー器具を保持する機能を有し、或いはシャワー器具に設置されている保持機能を有する器具を利用し、シャワー吐水口から散水される水を受け止め集水し、それらの回収水を貯水させる機能を有する移動可能な或いは半固定できる集水槽への導水経路において、
シャワー吐水口より散水される水を受け止め回収する機能部位に、水温を可視確認可能とする感温色相変化を生じる感温剤又は電気的に感温し表示或いは音の発振による聴覚への伝達する機能を有し、シャワー吐水口より散水されている水の温度を人体に水が接触することなく確認できうる機構を有することを特徴とするシャワー散水を集水貯水する用具を記載している。
【考案の効果】
【０００７】  本考案により、シャワー浴を行う場合、散水初期の冷水を直接人体に散水することなく温度の確認を可能とし、高温水による火傷をも防止することができ、又、シャワー浴に不適正な水又は高温水の排水を無駄に捨てることなく集水槽に貯めることにより、集水槽の水を洗濯や掃除などに有効利用できるため、水道料金の低減や水の有効利用する効果を有する。
【実施例】
【０００８】  本考案の実施例を図によって説明する。
図１は、本考案による集水槽の斜視図である。シャワー吐出口１は、シャワー吐水口ハンガ７に容易に半固定でき、シャワー浴に不適正な水又は高温水の排水を無駄に捨てることなく集水槽２に集水し、貯めることができる。シャワー吐水口１からの吐水は、温度表示機構５の集水口にあたる。温度表示機構５は透明プラスチックで形成されており、吐水が当たる部分には、例えばケミテック株式会社製の示温カプセルを塗料など定着保持させえる溶液に混ぜ塗られており、０℃から６０℃の温度域において、温度を感温することによって変色する。この変色を利用し、吐水温度がシャワー浴に適した温度であるかどうか判定することができる。上記発色剤は、赤、橙、黒、青、緑、エメラルドグリーンの６色が感温時変色することができ、これらを他の染料或いは顔料と混ぜ合わせることにより、０℃以上２５℃未満の低温時に緑の発色、２５℃以上３５℃未満で青、３５℃以上４５℃未満で橙色、４５℃以上５０℃未満で赤、５０℃以上６０℃以下が黒といった温度域に対する発色を設計製作できる。当該考案を実施するに当たり、安全快適なシャワー浴を行える温度域を例えば３５℃以下では青色を呈するものが、３５℃以上４５℃未満で橙色に、更に４５℃以上で赤色に設計した場合、橙色以外の温度域では、シャワー浴に適さないためシャワー浴をせず、吐水を集水槽に受け、水や高温水を無駄に排水することなく、集水槽にため、洗濯などのシャワー浴ではない別の使用目的として使用することができる。
又、温度検知には、温水の温度によって色が変化するおもちゃを集水部に使用すれば、幼児の入浴時に、幼児にも適正温度であることの確認を、興味を持たせながら安全に入浴させることもできる。（図示せず）。
又、感温部に電気的に温度測定をする感熱センサーを設け、集積回路チップにて温度表示をする液晶や発光ダイオードによる表示器或いは振動体を設け、これらの回路への供給電源は、室内光を受け発電する太陽電池を透明プラスチックによって感熱センサーと集積回路チップ及び液晶や発光ダイオードによる表示器或いは振動体と共に覆い、温度表示機部に具備しても良い。（図示せず）。
図２には、本考案による集水槽の正面図を示す。集水後は把手４を持ち、使用場所に移送できる構造となっている。
図３には、本考案による集水槽の平面図を示す。シャワー吐水口１から出た温水は、集水部に取り付けられた温度表示機構５によってシャワー水の温度を感知できるようになっている。
図４には、本考案による集水槽の側面の断面図を示す。集水は、バケツ構造となっており、注ぎ口６から集水を使用できる。この時、図３の蓋３を取り外し、集水槽のみを移送し、集水を利用することもできる。
図５には、本考案による集水槽をバスユニットに装着した平面図を示す。
シャワー水の温度を確認しながら、本考案のシャワー集水槽全体８を壁に吸着盤にて固定し、使用する応用例を示す。
図６には、本考案のシャワー集水槽２と温度表示機構５と集水口を別置きし、配管で接続することによって、集水した水を集水槽２から電気洗濯機１１にポンプ１０で集水した水を汲み上げ、洗濯に使用する応用の構成図である。
この場合の集水量は、加温装置能力や配管設備内の容積やその配管経路、周囲温度により差異が生じるが、実施例では、一回のシャワー浴で、冬場の一般的シャワー装置で約１６リットルの節水が可能である。これは、一月当たり、０．４８立方メートルの節水が可能となり、水道料金を１立方メートル当たり３００円とすると、１４４円の節水ができる。１０万人都市で、２万５千件の家が同等の節水をすれば、一ヶ月当たり１２０００立方メートルの節水ができるばかりか、所謂有限の資源を垂れ流すことの習貫が阻止できる教育的効果も大きい。
また、本考案を養護施設や銭湯、プールなどの公共施設、会社などの施設に応用することで多大な効果が得られる。特に公共施設における資源を垂れ流すことの習慣が阻止できる教育的効果は更に大きい。
蓋３は集水槽に着脱可能になっており、集水槽は把手４を持って容易に運搬できるようになっている。注ぎ口６から集水槽の水を他の容器や洗濯機に注ぐことができ、蓋３を取りはずしバケツとしても使用できる。
【図面の簡単な説明】
【０００９】
【図１】本考案のシャワー集水槽上方より見た斜視図である。
【図２】本考案のシャワー集水槽の側面図である。
【図３】本考案のシャワー集水槽の平面図である。
【図４】本考案のシャワー集水槽側面から見た断面図である。
【図５】本考案のシャワー集水槽をバスユニットと組み合わせた構成図である。
【図６】本考案のシャワー集水槽と集水口を別置きし、集水を電気洗濯機にポンプで集水した水を汲み上げ、洗濯に使用する構成図である。
【符号の説明】
【００１０】  １  シャワー吐出口
２  集水槽
３  蓋
４  把手
５  温度表示機構
６  注ぎ口
７  シャワー吐水口ハンガ
８  シャワー集水槽全体
９  バスユニット
１０  送水ポンプ
１１  電気洗濯機
【図１】
0003125758.tif 000003
【図２】
0003125758.tif 000004
【図３】
0003125758.tif 000005
【図４】
0003125758.tif 000006
【図５】
0003125758.tif 000007
【図６】
0003125758.tif 000008
【手続補正書】
【提出日】平成18年7月6日(2006.7.6)
【手続補正１】
【補正対象書類名】実用新案登録請求の範囲
【補正対象項目名】請求項１
【補正方法】変更
【補正の内容】
【請求項１】
シャワーより散水される水を集水し貯水する導水経路において、シャワー保持具とシャワー散水受けとサーモクロミック材或いは温度計による水温伝達手段と貯水槽を具備する、シャワー使用初期に散水される冷水或いは熱水が人体に接触することなく水温状態を確認できることを特徴とするシャワー集水槽。
【手続補正２】
【補正対象書類名】明細書
【補正対象項目名】０００６
【補正方法】変更
【補正の内容】
【０００６】請求項１には、シャワーより散水される水を集水し貯水する導水経路において、シャワー保持具とシャワー散水受けとサーモクロミック材或いは温度計による水温伝達手段と貯水槽を具備する、シャワー使用初期に散水される冷水或いは熱水が人体に接触することなく水温状態を確認できることを特徴とするシャワー集水槽を記載している。